(57)【特許請求の範囲】
【請求項１】
レール上に吊車によって転動自在に吊設された吊下式片引き戸の上部全体を覆う全体カバーにおける引き戸通過用通路である天溝部においてこの天溝部に覆体が設けられ引き戸開閉に伴う引き戸の通過時に通過部分の覆体が開かれることを特徴とする吊下式引き戸の天溝部隠蔽装置
【請求項２】
引き戸の開閉方法が左右引き分け式の引き戸であることを特徴とする請求項１記載の吊下式引き戸の天溝部隠蔽装置
【請求項３】
引き戸の開閉方法が多重片引き戸であることを特徴とする請求項１記載の吊下式引き戸の天溝部隠蔽装置
【発明の詳細な説明】
【０００１】
【発明の属する技術分野】
本発明は吊下式引き戸の上部を覆う全体カバーのうち引き戸が通過する部分の溝空間を隠蔽する装置に関する。
【０００２】
【従来の技術】
従来吊下式引き戸の上部には正面点検口つきの全体カバー９が設けられ、引き戸上部に設けられたレール７とか吊車８とかレール上に転動自在に吊設された吊下式引き戸の構成部分等はすべて全体カバー９内に納められ、全体カバー９のうち引き戸が移動する部分の溝空間（以後これを天溝部と称する）のみが開口され正面点検口は点検カバーで目隠しされて外観を美しく見せていると同時に塵埃などの内部堆積を防御している。
【０００３】
【発明が解決しようとする課題】
ところがこの天溝部は戸袋なしの片引き戸の場合引き戸が開かれると同時に天溝部のうち引き戸がいない部分の天溝部は同じく開いたままであり、例えば吊下式の片引き戸が常開式の防火戸として使用された場合などは戸の厚みもあり、開口通路上の天溝部は常時開いた状態のため内部に塵埃も堆積し易く、その堆積物のため非常時に防火戸が閉まらないといった不都合が考えられ、また一般には内部が常時覗き見られるため見苦しいという景観的な問題点があった。
【０００４】
【課題を解決するための手段】
そこで発明者は天溝部にあらかじめ覆いを設け引き戸通過時のみ覆いをはずす工夫をすることによってかかる問題点を解決した。すなわち本発明はレール上に吊車によって転動自在に吊設された吊下式片引き戸の上部全体を覆う全体カバーにおける引き戸通過用通路である天溝部においてこの天溝部に覆体が設けられ引き戸開閉に伴う引き戸の通過時に通過部分の覆体が開かれることを特徴とする吊下式引き戸の天溝部隠蔽装置である。
【０００５】
本発明装置の特徴は覆体が固定されていることであり、単にその場で引き戸通過部分が開くだけで覆体には移動手段が何も用いられていないということである。この覆体とは天溝内部を隠蔽させるものという定義であり、それは例えば一枚物のシート状のものであっても、毛先の長いものの組み合わせ重ね合わせ状のものであっても、また板状のものの一部を順次重ね合わせてゆくものであっても良く、天溝内部が隠蔽できしかも引き戸が通過できるものであればその他の形状、材質のものであっても良い。
【０００６】
【発明の実施の形態】
以下本発明実施例１の実施形態を図に基づいて説明すると図１は片引き戸において本発明天溝部隠蔽装置を装着した図で覆体設置部分を引き戸が通過して押し開かれる場合の斜視図である。図２は図１の縦断面図であり、図３は図２と構成が同じであるが覆体設置部分を吊車ブラケット３の垂直面部が通過して押し開かれる場合の縦断面図である。
【０００７】
図１、図２を用いて実施例１の構成を説明するとレール７上に吊車８によって転動自在に吊設された吊下式引き戸１の上部全体を覆う全体カバー９において天溝部１０の天溝幅両側の長手方向に沿って天溝部１０の長さと同じ又はより長いコの字状のブラケット４ａ，４ｂを設け、その上に弾性を有する板ゴム５を緊張させたまま貼付固定して覆体２を構成し、覆体２の長手方向に１本の裂け目６を設けて引き戸の通過路としたものであり、図２の場合は覆体部を通過するものが引き戸１自身でありそのため裂け目６の位置は引き戸厚みのセンタ位置に設けてあり、図３の場合は覆体部を通過するものが吊車ブラケット３の垂直面部であるため裂け目６の位置は中央より端側にずれて吊車ブラケット垂直面位置に設けられている。いずれの場合も覆体２は天溝部１０全体を覆い天溝部を隠蔽しているものである。この１本の裂け目６は天溝内部が見にくい程度の幅を持っていても良いし、厚みの厚い引き戸には裂け目に沿って直角に多数の切れ込みを設けて引き戸が通過し易いよう工夫しても良い。
【０００８】
次に動作について説明する。図２と図３とは覆体２に設けられた裂け目６の位置が異なり、通過するものが異なるだけなので図１について動作を説明する。覆体２は天溝部１０全体を覆いしかも弾性を有する板ゴム５により作られ引き戸通過部に裂け目６が設けられているため引き戸１が存在する部分のみが左右にまくれ上がってまくれ上がり部１１が生じることになる。引き戸が移動するにつれてそのまくれ上がり部１１も同じく移動し引き戸通過後のまくれ上がり部１１はまた弾性回復して元に戻ることになる。
【０００９】
従って何時の場合にあっても引き戸通過部以外は絶えず板ゴム５が弾性回復して元に戻るため天溝部１０はいつも隠蔽されていることになる。ただ引き戸の厚みにより引き戸戸先部と板ゴム５、引き戸戸尻部と板ゴム５とにより形作られる略３角形の空間部（まくれ上がり部１１における空間部）の大きさが異なり、この空間部をより小さく抑えるためには図３に示したように覆体２の部分を通過させるのは吊車ブラケット３の垂直面部であることが好ましい。そのためにはコの字状のブラケット４ａ，４ｂの高さを調整して吊車ブラケット３の垂直面部に板ゴム５の覆体２を持ってくるようにすれば良い。
【００１０】
次に実施例２の構成について説明する。実施例２は引き分け方式の両引き戸である。レールは１本であり引き戸が２枚になるため覆体２の長さが２倍になるだけで覆体２の取り付け方法や構成は実施例１と全く同様であり、異なっている点は引き戸が２枚あって左右に引き分けられる点である。この動作も１枚１枚の戸に着目してみれば左右への開放方向が異なるだけで１枚１枚は実施例１と同様の動作であるため説明を省略する。
【００１１】
続いて実施例３について説明する。図４は２重片引き戸に覆体２を設けた場合の縦断面図である。吊下式引き戸１の上部全体を覆う全体カバー９において天溝部１０のうち全体カバー９と引き戸１との間、引き戸１と引き戸１との間にレールに沿った方向で、逆Ｔ字型を有する覆体取り付け用具１２ａ，１２ｂとアングル状の覆体取り付け用具１２ｃがカバー両端まで通して設けられ、これらの覆体取り付け用具１２ａ，１２ｂ、１２ｃに天溝部１０より幅も長さも大きくて弾性を有する板ゴム５を緊張させたまま貼付固定して覆体２を構成させ、この覆体２に設ける裂け目のうち１本は吊車ブラケット３の垂直面部の通過路に裂け目６ａを設け、もう１本は引き戸１と吊車ブラケット３とをつなぐミゾ形鋼１３の垂直面部が通過する位置に裂け目６ｂをそれぞれ設けて引き戸の通過路としたものである。多重型引き戸の場合は逆Ｔ字型を有する覆体取り付け用具１２ｂと引き戸１と吊車ブラケット３とをつなぐミゾ形鋼１３の中心が通過する位置に裂け目６ｂが引き戸の数に応じて増加するだけで全く同じ構成で実施することが出来る。動作にしても一枚一枚の引き戸はすべて実施例１と同様な動きを呈し引き戸１の動きに関係なく天溝部１０は絶えず隠蔽されることになる。
【００１２】
【発明の効果】
引き戸の移動に伴い引き戸通過部分のみが覆体の裂け目を押し広げて通過し引き戸が通過した部分は板ゴムの弾性により回復して裂け目を塞いでゆくため天溝部はたえず隠蔽状態となり、塵埃が堆積しにくくなってそのために生じるトラブルが解消されると同時に美観も損なわれないという効果がある。
【図面の簡単な説明】
【図１】実施例１を装着した際の主要部斜視図
【図２】図１の縦断面図
【図３】図２のもう一つの縦断面図
【図４】実施例３を装着した際の主要部縦断面図および部分拡大図
【符号の説明】
１  引き戸
２  覆体
３  吊車ブラケット
４ａ，４ｂ  コの字状のブラケット
５  板ゴム
６、６ａ、６ｂ  裂け目
７  レール
８  吊車
９  全体カバー
１０  天溝部
１１  まくれ上がり部
１２ａ、１２ｂ、１２ｃ  覆体取り付け用具
１３  ミゾ形鋼
【図１】
0003887716.tif 000002
【図２】
0003887716.tif 000003
【図３】
0003887716.tif 000004
【図４】
0003887716.tif 000005